(57)【要約】【課題】使い慣れた者が満足して使用し得ると共に安全性を維持する剃刀具を提供する。【解決手段】刃３に、刃先３ａを所定間隔で露出させるスリットを形成するよう、刃先３ａを複数箇所で覆うブリッジ３２を備えるセーフティガードを装着した剃刀具であって、  セーフティガードのスリットは、頻繁に使用する刃先３ａの中央部３ｄに形成される第一スリット３３と、刃先３ａの先端部３ｂの側に第一スリット３３の幅３６より小さく形成される第二スリット３４と、刃先３ａの基端部３ｃの側に第一スリット３３の幅３６より小さく形成される第三スリット３５とを備え、  第一スリット３３は、刃先３ａの中央部３ｄによる斜め剃り、深剃り、剃り効率の向上の少なくとも１つを行い得るよう構成されると共に、前記第二スリット３４及び第三スリット３５は、剃り時の安全性を高めるよう構成される。【選択図】図３
2007075496.tif 000002
【特許請求の範囲】
【請求項１】
柄の先端部に取付けられた刃に、刃先を所定間隔で露出させるスリットを形成するよう、刃先を複数箇所で覆うブリッジを備えるセーフティガードを装着した剃刀具であって、
前記セーフティガードのスリットは、頻繁に使用する刃先の中央部に形成される第一スリットと、前記刃先の先端部の側に第一スリットの幅より小さく形成される第二スリットと、前記刃先の基端部の側に第一スリットの幅より小さく形成される第三スリットとを備え、
前記第一スリットは、刃先の中央部による斜め剃り、深剃り、剃り効率の向上の少なくとも１つを行い得るよう構成されると共に、前記第二スリット及び第三スリットは、剃り時の安全性を高めるよう構成されたことを特徴とする剃刀具。
【請求項２】
第一スリットの幅を３．０ｍｍより大きく６．０ｍｍ以下にしたことを特徴とする請求項１記載の剃刀具。
【請求項３】
第二スリットの幅を０．６ｍｍ以上３．０ｍｍ未満に、第三スリットの幅を０．６ｍｍ以上３．０ｍｍ未満に、ブリッジの幅を０．１ｍｍ以上０．５ｍｍ以下にしたことを特徴とする請求項１記載の剃刀具。
【請求項４】
刃先の中央部に形成される第一スリットの存在区間を、全てのスリットの幅の合計に対して６０％以上９０％以下にすることを特徴とする請求項１〜３のいずれかに記載の剃刀具。
【発明の詳細な説明】
【技術分野】
【０００１】
本発明は、剃刀具に関するものである。
【背景技術】
【０００２】
図５は主に女性が顔表面の産毛を剃ったり眉毛のラインを整えたりする際に使用する剃刀具１を示し、この種の剃刀具１は、使用者が手で把持する為の柄２と、柄２の先端部に取付けられた刃３とにより構成されている。
【０００３】
通常、上記した如き剃刀具１においては、使用者が刃先３ａを肌に当てたまま誤って刃先３ａに沿う方向に剃刀具１を操作しても肌を傷つけないように、刃先３ａにセーフティガード４を装着するようにしてある。
【０００４】
セーフティガード４は、図６に示す如く刃先３ａの長さ寸法より短い長さを有して薄板状に形成されたステンレスシート５に、横幅方向に延びる細長のブリッジ７を形成するよう、長手方向に沿って複数のスリット６を打抜き加工して構成されており、刃先３ａにセーフティガード４を装着する際には、図７に示す如く、ステンレスシート５を横幅方向中間部で曲折して、刃先３ａの先端部３ｂを露出させるよう刃先３ａに被覆し、ステンレスシート５の横幅方向両端部を刃３の両側面に夫々スポット溶接して構成している。
【０００５】
ここで、セーフティガード４に形成されたスリット６は、全て平行部の両側に円弧を備えた環状孔であり、ステンレスシート５の長手方向に平行であるスリット６の幅は約１.０ｍｍに形成され、且つスリット６，６同士の間であるブリッジ７の幅は約０．３ｍｍに形成されている。
【０００６】
これにより、セーフティガード４は、刃先３ａを各ブリッジ７により横滑りを防いでいる。又、刃先３ａの先端部３ｂはセーフティガード４で被覆することなく露出され、刃先３ａの先端部３ｂを用いることにより眉毛一本一本のラインを整えるような微妙な作業を行うことができるようにしている。
【０００７】
一方、剃刀具の他例には、図８、図９に示す如く、セーフティガードのスリットの構成を変形したものがある（例えば、特許文献１参照）。
【０００８】
このセーフティガード８のスリットは、刃先３ａの先端部３ｂから長手方向に沿って、平行線の両側に円弧を形成する複数の環状孔を備えるように、刃先３ａの先端部３ｂの端側に形成される一穴の第一サブスリット１１と、刃先３ａの先端部３ｂで第一サブスリット１１に隣接して形成される一穴の第二サブスリット１２と、刃先３ａの先端部３ｂを除く部分で第二サブスリット１２に隣接するよう刃先３ａの先端部３ｂ手前から長手方向の後方まで形成される複数のメインスリット１３とより構成されている。
【０００９】
ここで、第一サブスリット１１における、ステンレスシート９の長手方向と平行な幅１４は、横滑りを防ぎ、肌を傷つけることなく安全で安心な剃り幅を形成するよう、０．８ｍｍ以上３．０ｍｍ以下に形成されており、第二サブスリット１２における、ステンレスシート９の長手方向と平行な幅１５は、第一サブスリット１１の幅１４より小さく、更なる横滑り防止の二重構造となるよう０．３ｍｍ以上０．８ｍｍ未満に形成されており、第一サブスリット１１から第二サブスリット１２までの間に形成されるブリッジ１６の幅１７は、０．１ｍｍから０．３ｍｍに形成されている。なお、図中１８は第一サブスリット１１と第二サブスリット１２の深さを示している。
【００１０】
一方、メインスリット１３は、第一メインスリット１９と、第二メインスリット２０と、第三メインスリット２１とより形成されており、第一メインスリット１９は、刃先３ａの長手方向の約３分の１で中央、すなわち刃先３ａの長手方向で頻繁に使用される位置に形成されており、第二メインスリット２０は、刃先３ａの前方約３分の１である先端部３ｂの側に形成されおり、第三メインスリット２１は、刃先３ａの長手方向の後方約３分の１である先端部３ｂの反対側に形成されている。又、各メインスリット１９，２０，２１における、ステンレスシート９の長手方向と平行な幅２２は０．８ｍｍ以上３．０ｍｍ未満に形成されており、更に、第一メインスリット１９、第二メインスリット２０、第三メインスリット２１の間に形成されるブリッジ１０の幅２５は、第一サブスリット１１及び第二サブスリット１２のブリッジ１６と一連となるよう０．１ｍｍから０．３ｍｍまでに形成されている。なお、図中２２は第一メインスリット１９の幅を、２３は第二メインスリットの幅を、２４は第三メインスリット２１の幅を、２６はメインスリット１３の深さを示している。
【００１１】
これにより、セーフティガード４は、第一サブスリット１１と第二サブスリット１２を形成するブリッジ１６を備えて横滑り防止の二重構造とし、使用者が眉毛のラインや顔の起伏部分を整える作業において、初心者でも安心して使用することができるようにしている。
【特許文献１】特開２００１−１２９２７３号公報
【発明の開示】
【発明が解決しようとする課題】
【００１２】
しかしながら、上述の如く、剃刀具１のセーフティガード８において第一サブスリット１１と第二サブスリット１２を形成すると共に、メインスリット１３の幅を０．８ｍｍ以上３．０ｍｍ以下にした場合には、女性や初心者が剃刀具を安全に使用し得る構成であるため、斜め剃りや深剃りを行うことができないと共に、剃り効率（一回の剃り量）の向上を図ることができず、使い慣れた者が満足して剃刀具を使用することができないという問題があった。又、単純にメインスリット１３の幅を広くしただけでは、斜め剃り、深剃りの場合に、基端側のメインスリット１３の刃先３ａが皮膚に接触して僅かに切ってしまうおそれがあり、安心して使用できないという問題があった。
【００１３】
本発明は、上述の実情に鑑みてなしたもので、使い慣れた者が満足して使用し得ると共に安全性を維持する剃刀具を提供することを目的としている。
【課題を解決するための手段】
【００１４】
本発明は、柄の先端部に取付けられた刃に、刃先を所定間隔で露出させるスリットを形成するよう、刃先を複数箇所で覆うブリッジを備えるセーフティガードを装着した剃刀具であって、
前記セーフティガードのスリットは、頻繁に使用する刃先の中央部に形成される第一スリットと、前記刃先の先端部の側に第一スリットの幅より小さく形成される第二スリットと、前記刃先の基端部の側に第一スリットの幅より小さく形成される第三スリットとを備え、
前記第一スリットは、刃先の中央部による斜め剃り、深剃り、剃り効率の向上の少なくとも１つを行い得るよう構成されると共に、前記第二スリット及び第三スリットは、剃り時の安全性を高めるよう構成されたことを特徴とする剃刀具、にかかるものである。
【００１５】
本発明は、第一スリットの幅を３．０ｍｍより大きく６．０ｍｍ以下にすることが好ましい。
【００１６】
本発明は、第二スリットの幅を０．６ｍｍ以上３．０ｍｍ未満に、第三スリットの幅を０．６ｍｍ以上３．０ｍｍ未満に、ブリッジの幅を０．１ｍｍ以上０．５ｍｍ以下にすることが好ましい。
【００１７】
本発明は、刃先の中央部に形成される第一スリットの存在区間を、全てのスリットの幅の合計に対して６０％以上９０％以下にすることが好ましい。
【発明の効果】
【００１８】
本発明の剃刀具によれば、第一スリット、第二スリット、第三スリットの構成により、斜め剃りや深剃りを十分に行うと共に、剃り効率（一回の剃り量）を高め、使い慣れた者が満足して使用することができ、同時に安全性を維持することができるという優れた効果を奏する。
【発明を実施するための最良の形態】
【００１９】
以下、本発明の形態例を図面を参照しつつ説明する。
【００２０】
図１〜図４は本発明の実施の形態例を示すものであり、図１はセーフティガードを構成するステンレスシートの平面図を示し、図２はセーフティガードを刃に被覆した状態の側面図を示し、図３はセーフティガードを装着した刃を柄の先端部に取り付けた状態の側面図を示し、図４は、剃刀具のモニター試験の結果を示す図表である。なお、図中図５〜図９と同一の符号を付した部分は同一物を表わしている。
【００２１】
セーフティガード３０は、薄板状に形成されたステンレスシート３１に、横幅方向に延びる細長のブリッジ３２を形成するよう長手方向に沿って複数のスリットを打抜き加工することによって形成されており、又、セーフティガード３０の長手方向の全長は、刃先３ａの全長寸法と略等しい長さになるよう、２０ｍｍ以上５０ｍｍ以下、好ましくは３３ｍｍ以上３５ｍｍ以下になっている。
【００２２】
セーフティガード３０のスリットは、刃先３ａの先端部３ｂから長手方向に沿って基端部３ｃまで、平行線の両側に円弧を形成する複数の環状孔を備えるよう、刃先３ａの中央部３ｄに形成される第一スリット３３と、刃先３ａの先端部３ｂの側に形成される第二スリット３４と、刃先３ａの基端部３ｃの側に形成される第三スリット３５とから構成されている。
【００２３】
第一スリット３３は、刃先３ａの長手方向の中央部３ｄ、すなわち頻繁（頻度多く）に使用される位置に形成されており、全てのスリットの幅３６，３７，３８の合計（第一スリット３３の幅３６、第二スリット３４の幅３７、第三スリット３５の幅３８の全ての合計値）に対し、存在割合（第一スリット３３の幅３６の合計値の割合）を６０％以上９０％以下、好ましくは６０％以上８０％以下にしている。更に、第一スリット３３における、ステンレスシート３１の長手方向と平行な幅３６を３．０ｍｍより大きく６．０ｍｍ以下、好ましくは３．５ｍｍ以上５．０ｍｍ以下にしている。
【００２４】
第二スリット３４は、刃先３ａの長手方向の先端部３ｂに形成されており、全てのスリットの幅３６，３７，３８の合計（第一スリット３３の幅３６、第二スリット３４の幅３７、第三スリット３５の幅３８の全ての合計値）に対し、存在割合（第二スリット３４の幅３７の合計値の割合）を５％以上２０％以下、好ましくは５％以上１０％以下にしている。更に、第二スリット３４における、ステンレスシート３１の長手方向と平行な幅３７を、第一スリット３３の幅３６より小さくするよう、０．６ｍｍ以上３．０ｍｍ未満、好ましくは０．８ｍｍ以上２．８ｍｍ以下にしている。ここで、第二スリット３４の存在割合は、第一スリット３３の存在割合、及び第三スリット３５の存在割合と合計した際に、１００％を超えない範囲になっている。
【００２５】
第三スリット３５は、刃先３ａの長手方向の基端部３ｃに形成されており、全てのスリットの幅３６，３７，３８の合計（第一スリット３３の幅３６、第二スリット３４の幅３７、第三スリット３５の幅３８の全ての合計値）に対し、存在割合（第三スリット３５の幅３８の合計値の割合）を５％以上２５％以下、好ましくは１０％以上２５％以下にしている。更に、第三スリット３５における、ステンレスシート３１の長手方向と平行な幅３８を、第一スリット３３の幅３６より小さくするよう、０．６ｍｍ以上３．０ｍｍ未満、好ましくは０．８ｍｍ以上２．８ｍｍ以下にしている。ここで、第三スリット３５の存在割合は、第一スリット３３の存在割合、及び第二スリット３４の存在割合と合計した際に、１００％を超えない範囲になっている。
【００２６】
ブリッジ３２は、第一スリット３３、第二スリット３４及び第三スリット３５の間に形成されて、ブリッジ３２おける、ステンレスシート３１の長手方向と平行な幅３９を０．１ｍｍ以上０．５ｍｍ以下、好ましくは０．２ｍｍ以上０．５ｍｍ以下にしている。
【００２７】
このようなセーフティガード３０を刃先３ａに装着する際には、図２、図３に示す如く、ステンレスシート３１を横幅方向中間部で曲折し、刃先３ａに先端部３ｂから基端部３ｃ近傍までを被覆するよう嵌合し、ステンレスシート３１の横幅方向両端部を刃３の両側面に夫々スポット溶接して固定する。
【００２８】
以下、本発明の実施の形態例の作用を説明する。
【００２９】
セーフティガード３０を刃先３ａに装着した剃刀具により、ヒゲやモミアゲ等を剃る際には、第一スリット３３の幅３６が、第二スリット３４の幅３７及び第三スリット３５の幅３８より大きく形成され、且つ６０％以上９０％以下の存在割合で構成されることにより、刃先３ａの中央部３ｄの剃り得る有効範囲を好適にし、理容師等の熟練者が皮膚に対し刃先３ａを所定の角度で斜めに当てて移動させる斜め剃りや、男性が濃いヒゲ等を剃る深剃りを、容易且つ十分に行う。
【００３０】
又、同時に、第二スリット３４の幅３７及び第三スリット３５の幅３８が、第一スリット３３の幅３６より小さく形成され、且つ刃先３ａの先端部３ｂ及び基端部３ｃに構成されることにより、第一スリット３３の刃先３ａが皮膚に接触して僅かに切ってしまうおそれを防止する。
【００３１】
ここで、本発明の剃刀具の２つの実施例（実施例１と実施例２）と、比較例（比較例１と比較例２）とを使用評価で比較し、その結果をまとめたものを、図４の表１により示す。
【００３２】
比較方法は、種々の習熟度レベルのモニター男子１０名により、実施例１、実施例２、比較例１、比較例２の剃刀具を同じ使用方法、同じ条件で使用した。又、比較例１の剃刀具の構成は、第二スリット及び第三スリットがなく、略均等な５．０ｍｍ幅の第一スリットのみを備え、第一スリットの存在割合を１００％にしたものである。比較例２の剃刀具の構成は、第三スリットがなく、２．０ｍｍ幅の第一スリットと、０．８ｍｍ幅の第二スリットを備え、第一スリットの存在割合を９０％にし、第二スリットの存在割合を１０％にしたものである。実施例１の剃刀具の構成は、５．０ｍｍ幅の第一スリットと、１．０ｍｍ幅の第二スリットと、１．０ｍｍ幅の第三スリットとを備え、第一スリットの存在割合を７０％にし、第二スリットの存在割合を１５％にし、第三スリットの存在割合を１５％にしたものである。実施例２の剃刀具の構成は、３．５ｍｍ幅の第一スリットと、１．０ｍｍ幅の第二スリットと、１．０ｍｍ幅の第三スリットとを備え、第一スリットの存在割合を９０％にし、第二スリットの存在割合を５％にし、第三スリットの存在割合を５％にしたものである。
【００３３】
一方、表１に示す評価項目は、夫々の剃刀具における、剃り味（深剃り）、剃り効率、斜め剃り、剃り心地、安全性を４段階の評価レベルで評価しており、具体的に説明すると、剃り味（深剃り）は、通常の深剃り、シャープさ、切れ味、濃いヒゲの対応を評価しており、剃り効率は、一回の剃り量を測るよう、剃り速度及び繰り返し回数を評価しており、斜め剃りは、斜め移動、肌に対する所定角度、種々の剃り方を評価しており、剃り心地は、ソフトタッチ、滑り抵抗、滑らかさを評価しており、安全性は、横ずれ、安心感を評価している。
【００３４】
この結果、表１に示す如く、比較例１は安心感が不十分の評価であると共に、比較例２は剃り効率、斜め剃り、剃り心地が劣る評価であるのに対し、実施例１、実施例２は、剃り味（深剃り）、剃り効率、斜め剃り、剃り心地、安全性の全てにおいて、ほぼ満足以上の評価を得ることができた。
【００３５】
このため、本発明の剃刀具の実施例１及び実施例２は、斜め剃り、深剃り、剃り効率、安全性において、バランス良く、満足し得る構成であることが明らかである。
【００３６】
このように、本発明の形態例によれば、刃先３ａの中央部３ｄに形成される第一スリット３３の幅３６を、第二スリット３４の幅３７及び第三スリット３５の幅３８より大きく形成するので、斜め剃り、深剃り、剃り効率（一回の剃り量）を高め、使い慣れた者が満足して剃刀具を使用することができる。又、同時に、第二スリット３４の幅３７及び第三スリット３５の幅３８を、第一スリット３３の幅３６より小さくし、且つ刃先３ａの先端部３ｂ及び基端部３ｃに備えるので、第一スリット３３の刃先３ａが皮膚に接触して僅かに切ってしまうことを防止し、安全性を維持することができる。更に、刃先３ａの基端部３ｃの側に第一スリット３３の幅３６より小さい幅の第三スリット３５を備えるので、特に斜め剃りの場合に、基端部３ｃ側の第一スリット３３の刃先３ａが皮膚に接触して僅かに切ってしまうことを防止し、安全性を向上することができる。更に又、第一スリット３３、第二スリット３４及び第三スリット３５の幅３６，３７，３８の大きさ、配置等の構成により、横滑りを防止すると共に剃りにくさを解消し、且つ剃り効率を向上させることができる。
【００３７】
第一スリット３３の幅３６を３．０ｍｍより大きく６．０ｍｍ以下にすると、斜め剃り、深剃り、剃り効率（一回の剃り量）を高め、使い慣れた者が一層満足して剃刀具を使用することができる。又、第一スリット３３の幅３６を３．５ｍｍ以上５．０ｍｍ以下にすると、斜め剃り、深剃り、剃り効率（一回の剃り量）を好適に高め、使い慣れた者が更に一層満足して剃刀具を使用することができる。更に、横滑りを防止すると共に剃りにくさを解消して快適な剃り味を達成することができる。ここで、第一スリット３３の幅３６を３．０ｍｍ以下にすると、斜め剃り、深剃り、剃り効率（一回の剃り量）を高めることができず、使い慣れた者が満足して剃刀具を使用することができない。又、第一スリット３３の幅３６を６．０ｍｍより大きくすると、第二スリット３４及び第三スリット３５を備える構成であっても、安全性を維持することができない。
【００３８】
第二スリット３４の幅３７を０．６ｍｍ以上３．０ｍｍ未満にし、第三スリット３５の幅３８を０．６ｍｍ以上３．０ｍｍ未満にし、ブリッジ３２の幅３９を０．１ｍｍ以上０．５ｍｍ以下にすると、第一スリット３３の存在にかかわらず、第一スリット３３の刃先３ａが皮膚に接触して僅かに切ってしまうことを防止し、安全性を維持することができる。又、第二スリット３４の幅３７を０．８ｍｍ以上２．８ｍｍ以下に、第三スリット３５の幅３８を０．８ｍｍ以上２．８ｍｍ以下に、ブリッジ３２の幅３９を０．２ｍｍ以上０．５ｍｍ以下にすると、第一スリット３３の刃先３ａが皮膚に接触して僅かに切ってしまうことを好適に防止し、安全性を一層維持することができる。又、第二スリット３４及び第三スリット３５の幅３７，３８の大きさ、配置等の構成により、横滑りを防止すると共に剃りにくさを解消して快適な剃り味を達成することができる。ここで、第二スリット３４の幅３７を０．６ｍｍ未満、又は第三スリット３５の幅３８を０．６ｍｍ未満にすると、剃りにくさが増大して快適な剃り味を得ることができない。又、第二スリット３４の幅３７を３．０ｍｍ以上、又は第三スリット３５の幅３８を３．０ｍｍ以上にすると、第一スリット３３を組み合わせた場合に横滑りを防止することができない。更に、ブリッジ３２の幅３９を０．１ｍｍ未満にすると、セーフティガード３０の強度が著しく低下し、０．５ｍｍより大きくすると刃先３ａの露出間隔が大きくなり、非常に剃りにくいものとなる。
【００３９】
刃先３ａの中央部３ｄに形成される第一スリット３３の存在区間を、全てのスリットの幅の合計に対して６０％以上９０％以下にすると、深剃り、剃り効率（一回の剃り量）を高め、使い慣れた者が一層満足して剃刀具を使用することができる。又、第一スリット３３の存在区間を６０％以上８０％以下にした場合には、斜め剃り、深剃り、剃り効率（一回の剃り量）を好適に高め、使い慣れた者が更に一層満足して剃刀具を使用することができる。更に、横滑りを防止すると共に剃りにくさを解消して快適な剃り味を達成することができる。ここで、第一スリット３３の存在区間を６０％未満にすると、効率の良い使い易さが著しく低下し、第一スリット３３の存在区間を９０％より大きくなると、第二スリット３４、第三スリット３５が機能せず、安全性に懸念が生じる。
【００４０】
刃先３ａの先端部３ｂに形成される第二スリット３４の存在区間を、全てのスリットの幅の合計に対して５％以上２０％以下にすると、第一スリット３３に対応して、第一スリット３３の刃先３ａが皮膚に接触して僅かに切ってしまうことを防止し、安全性を維持することができる。又、第二スリット３４の存在区間を５％以上１０％以下にすると、第一スリット３３の刃先３ａが皮膚に接触して僅かに切ってしまうことを好適に防止し、安全性を一層維持することができる。ここで、第二スリット３４の存在区間を５％未満にすると、第一スリット３３に対して、安全性に懸念が生じ、第二スリット３４の存在区間を２０％より大きくなると、効率の良い使い易さが著しく低下する。
【００４１】
刃先３ａの先端部３ｂに形成される第三スリット３５の存在区間を、全てのスリットの幅の合計に対して５％以上２５％以下にすると、第一スリット３３に対応して、第一スリット３３の刃先３ａが皮膚に接触して僅かに切ってしまうことを防止し、安全性を維持することができる。又、第三スリット３５の存在区間を１０％以上２５％以下にすると、第一スリット３３の刃先３ａが皮膚に接触して僅かに切ってしまうことを好適に防止し、安全性を一層維持することができる。ここで、第二スリット３４の存在区間を５％未満にすると、第一スリット３３に対して、安全性に懸念が生じ、第二スリット３４の存在区間を２５％より大きくなると、効率の良い使い易さが著しく低下する。
【００４２】
尚、本発明の剃刀具は、上述の形態例にのみ限定されるものではなく、セーフティガードの材質をステンレスシート以外の材質にしても良いこと、又、セーフティガードの構成をワイヤ等の他の構成にしても良いこと、その他、本発明の要旨を逸脱しない範囲内において種々変更を加え得ることは勿論である。
【図面の簡単な説明】
【００４３】
【図１】本発明の剃刀具の実施の形態例においてセーフティガードを構成するステンレスシートの平面図である。
【図２】セーフティガードを刃に被覆した状態を示す側面図である。
【図３】セーフティガードを装着した刃を柄の先端部に取り付けた状態を示す側面図である。
【図４】本発明の剃刀具のモニター試験の結果を示す図表である。
【図５】従来の剃刀具を示す側面図である。
【図６】従来の剃刀具においてセーフティガードを構成するステンレスシートの平面図である。
【図７】従来のセーフティガードを刃に被覆した状態を示す側面図である。
【図８】従来の剃刀具の他例においてセーフティガードを構成するステンレスシートの平面図である。
【図９】従来の剃刀具の他例においてセーフティガードを刃に被覆した状態を示す側面図である。
【符号の説明】
【００４４】
１    剃刀具
２    柄
３    刃
３ａ  刃先
３ｂ  先端部
３ｃ  基端部
３０    セーフティガード
３２    ブリッジ
３３    第一スリット
３４    第二スリット
３５    第三スリット
３６    第一スリットの幅
３７    第二スリットの幅
３８    第三スリットの幅
３９    ブリッジの幅
【図１】
2007075496.tif 000003
【図２】
2007075496.tif 000004
【図３】
2007075496.tif 000005
【図４】
2007075496.tif 000006
【図５】
2007075496.tif 000007
【図６】
2007075496.tif 000008
【図７】
2007075496.tif 000009
【図８】
2007075496.tif 000010
【図９】
2007075496.tif 000011